(57)【要約】【課題】家具類を壁面に強固に固定させることができると共に、見栄え良く家具類を固定させることができる家具類の転倒防止構造を提供する。【解決手段】本発明に係る家具類２の転倒防止構造は、少なくとも一部が磁性体のパネル１で形成される壁面に家具類２を固定する。壁面に固定される固定片４と、家具類２に連結される連結片６とで固定具３を構成する。固定具３の固定片４を、シート状磁石５を介してパネル１の表面に磁着すると共に、連結片６を家具類２に連結する。【選択図】図１
2014239870.tif 000002
【特許請求の範囲】
【請求項１】
少なくとも一部が磁性体のパネルで形成される壁面に家具類を固定するにあたって、
前記壁面に固定される固定片と、前記家具類に連結される連結片とで固定具を構成し、
前記固定具の前記固定片を、シート状磁石を介して前記パネルの表面に磁着すると共に、前記連結片を前記家具類に連結して成ることを特徴とする家具類の転倒防止構造。
【請求項２】
前記パネルは、金属外皮を備えるサンドイッチパネルであることを特徴とする請求項１に記載の家具類の転倒防止構造。
【請求項３】
前記シート状磁石は、シート状ゴム磁石であり、前記シート状ゴム磁石の正面視における面積が、２５〜３００ｃｍ２であることを特徴とする請求項１または請求項２に記載の家具類の転倒防止構造。
【請求項４】
前記シート状磁石は、シート状金属磁石であることを特徴とする請求項１または請求項２に記載の家具類の転倒防止構造。
【請求項５】
伸縮自在の連結具を介在させ、
前記連結具の一方の端部を前記固定具の前記連結片に取り付けると共に、他方の端部を前記家具類に連結して成ることを特徴とする請求項１乃至請求項４のいずれか一項に記載の家具類の転倒防止構造。
【発明の詳細な説明】
【技術分野】
【０００１】
本発明は、家具類の転倒を防止する構造に関するものであって、特に、建築物の壁にサンドイッチパネルを用いた家具類の転倒防止構造に関するものである。
【背景技術】
【０００２】
従来、地震などの揺れに対して家具類の転倒を防止するにあたって、例えばＬ型金具やワイヤーなどの固定具を用いて家具類を壁面に固定させることが行われている。しかし、これらの方法では、家具類を壁面に固定させる際、壁面に固定具を取り付けるための穴を開けるため、壁面に傷をつけてしまう。また、これらの方法では、壁面の剛性が低い位置には、固定具を取り付けることができないなど、固定具の取り付け位置を自由に設定することができない。
【０００３】
そこで、壁面に傷をつけず、また、固定具の取り付け位置を自由に選択できる家具類の転倒防止構造が、特許文献１等によって提案されている。
【０００４】
特許文献１の転倒防止構造では、磁性体を備えた固定具を用いて、鋼板で形成された壁面に前記固定具を前記磁性体の吸着力によって取り付け、前記固定具によって家具類を壁面に固定させるようにしている。
【先行技術文献】
【特許文献】
【０００５】
【特許文献１】特開２０１１−１７２６３５号公報
【発明の概要】
【発明が解決しようとする課題】
【０００６】
しかし、特許文献１に開示されている方法では、壁面を形成する鋼板の厚みが薄い場合は、十分な吸着力を得ることができず、家具類を壁面に強固に固定させることができないという問題があった。また、固定具を壁面に取り付けた際、固定具が壁面から大きく張り出すことになって、固定箇所が目立ち、見栄えが悪いという問題があった。
【０００７】
本発明は上記の点に鑑みてなされたものであり、家具類を壁面に強固に固定させることができると共に、見栄え良く家具類を固定させることができる家具類の転倒防止構造を提供することを目的とするものである。
【課題を解決するための手段】
【０００８】
本発明に係る家具類の転倒防止構造は、少なくとも一部が磁性体のパネルで形成される壁面に家具類を固定するにあたって、前記壁面に固定される固定片と、前記家具類に連結される連結片とで固定具を構成し、前記固定具の前記固定片を、シート状磁石を介して前記パネル表面に磁着すると共に、前記連結片を前記家具類に連結して成ることを特徴とするものである。
【０００９】
また、前記パネルは、金属外皮を備えるサンドイッチパネルであることが好ましい。
【００１０】
また、前記シート状磁石は、シート状ゴム磁石であり、前記シート状ゴム磁石の正面視における面積が、２５〜３００ｃｍ２であることが好ましい。
【００１１】
また、前記シート状磁石は、シート状金属磁石であることが好ましい。
【００１２】
また、伸縮自在の連結具を介在させ、前記連結具の一方の端部を前記固定具の前記連結片に取り付けると共に、他方の端部を前記家具類に連結して成ることが好ましい。
【発明の効果】
【００１３】
本発明によれば、固定具の固定片を、シート状磁石を介してパネル表面に磁着させることにより、固定具と壁面との磁着面積を大きくすることができる。これにより、壁面を形成する金属外皮の厚みが薄い場合であっても、十分な吸着力を得ることができる。この結果、家具類を壁面に強固に固定させることができる。また、固定具の固定片を、シート状磁石を介して壁面に取り付けるようにすることで、固定片と壁面との間の距離を小さくすることができるため、固定具を壁面に取り付けても、固定具が壁面から大きく張り出さないようにすることができる。これにより、家具類を壁面に固定させる際、固定箇所を目立たないようにすることができる。この結果、見栄え良く家具類を固定させることができる。
【図面の簡単な説明】
【００１４】
【図１】本発明の第一の実施形態に係る家具類の転倒防止構造を示すものであり、（ａ）は平面図、（ｂ）は側面図である。
【図２】（ａ）〜（ｃ）は本発明で使用される固定具の一例を示し、（ｄ）〜（ｆ）は固定具の他の一例を示すものであり、（ａ）及び（ｄ）は平面図、（ｂ）及び（ｅ）は背面図、（ｃ）及び（ｆ）は側面図である。
【図３】本発明の第二の実施形態に係る家具類の転倒防止構造を示すものであり、（ａ）は側面図、（ｂ）は連結具の一例を示す斜視図である。
【図４】（ａ）〜（ｄ）と（ｅ）〜（ｈ）の各々は本発明で使用される固定具の他の一例を示し、（ａ）及び（ｅ）は平面図、（ｂ）及び（ｆ）は正面図、（ｃ）及び（ｇ）は背面図、（ｄ）及び（ｈ）は側面図である。
【図５】本発明の第三の実施形態に係る家具類の転倒防止構造を示すものであり、（ａ）は斜視図、（ｂ）は壁面側の一部を拡大した斜視図、（ｃ）は家具類側の一部を拡大した斜視図である。
【図６】（ａ）〜（ｃ）と（ｄ）〜（ｆ）の各々は本発明で使用される固定具の他の一例を示すものであり、（ａ）及び（ｄ）は平面図、（ｂ）及び（ｅ）は背面図、（ｃ）及び（ｆ）は側面図である。
【図７】本発明の第四の実施形態に係る家具類の転倒防止構造を示すものであり、（ａ）及び（ｂ）は側面図である。
【図８】異なる厚み及び着磁ピッチを有するシート状磁石におけるシート状磁石の面積と吸着力との関係を示すグラフである。
【図９】（ａ）〜（ｃ）は本発明の第一乃至第四の実施形態に係る家具類の転倒防止構造で使用される固定具の他例を示し、（ａ）は平面図、（ｂ）は背面図、（ｃ）は側面図である。
【図１０】（ａ）〜（ｃ）は本発明の第一乃至第四の実施形態に係る家具類の転倒防止構造で使用される固定具の更に他例を示し、（ａ）は平面図、（ｂ）は背面図、（ｃ）は側面図である。
【図１１】本発明の第一乃至第四の実施形態に係る家具類の転倒防止構造で使用されるシート状磁石の一例を示す斜視図である。
【図１２】転倒防止試験時における本発明の実施形態に係る家具類の転倒防止構造を示すものであり、（ａ）は正面図、（ｂ）は側面図、（ｃ）は要部拡大図である。
【発明を実施するための形態】
【００１５】
以下、本発明の実施形態について添付図面に基づいて説明する。以下では、家具類２が壁に固定されている状態を基準にして、家具類の転倒防止構造を説明する。以下の説明においては、壁に対して家具類２が位置する側を前側といい、家具類２に対して壁が位置する側を後側という。
【００１６】
本発明における家具類２の転倒防止構造は、少なくとも一部が磁性体のパネル１で形成される壁面に家具類２を固定するものである。パネル１としては、例えば、サンドイッチパネル１００や鋼板が挙げられるが、これらに限定されない。尚、本実施形態では、家具類２として、箪笥、電子レンジ、冷蔵庫、及び薄型の平面テレビを実施の対象として説明するが、本発明はこれらに限られない。
【００１７】
図１に、第一の実施形態に係る家具類２の転倒防止構造を示す。図１（ａ）は平面図であり、図１（ｂ）は側面図である。
【００１８】
本実施形態では、壁面に固定される固定片４と、家具類２に連結される連結片６とで固定具３を構成する。固定具３の固定片４を、シート状磁石５を介してパネル１の表面に磁着すると共に、連結片６を家具類２に連結する。
【００１９】
本実施形態では、パネル１は、サンドイッチパネル１００である。サンドイッチパネル１００は、二枚の金属外皮１００ａ、１００ａと、断熱材１００ｂとを備える。
【００２０】
金属外皮１００ａは、鉄板や鋼板などの金属板から形成されていることが好ましい。この場合、固定具３のシート状磁石５を金属外皮１００ａに磁着することができる。金属外皮１００ａは、金属板をロール成形加工や、折り曲げ加工などで所望の形状に成形することによって得ることができる。金属外皮１００ａの厚みとしては、例えば、０．３５〜１．０ｍｍとすることができる。
【００２１】
断熱材１００ｂとしては、例えば、密度４０〜６０ｋｇ／ｍ３のポリイソシアヌレートフォーム、ウレタンフォーム、フェノールフォームなどの樹脂発泡体が挙げられる。また、断熱材１００ｂとして、ロックウールやグラスウールなどの繊維状無機材料を用いてもよい。また、耐火性を向上させるために、断熱材１００ｂと共に珪酸カルシウム、炭酸カルシウム、硫酸カルシウムなどで形成される耐火材を設けてもよい。
【００２２】
サンドイッチパネル１００は、二枚の金属外皮１００ａ間に、断熱材１００ｂを充填して板状に形成される。サンドイッチパネル１００は、図１２（ｃ）に示すように、例えば、上下の両端部の一方（本実施形態では上端部）に嵌合凸部１０１を有し、他方（本実施形態では下端部）に、嵌合凹部１０２を有する。断熱材１００ｂは、嵌合凹部１０２の側壁の先端（本実施形態では下端）まで充填されている。また、本実施形態では、嵌合凸部１０１においては、断熱材１００ｂの前面と後面に上端まで金属外皮１００ａがそれぞれ重ねられており、断熱材１００ｂの上面には金属外皮１００ａが重ねられていない。
【００２３】
サンドイッチパネル１００は、図１２（ａ）及び（ｂ）に示すように、その左右方向の両端部が、ビスなどの固定具１３を用いて、縦胴縁や柱等の下地材１２に固定される。サンドイッチパネル１００は、上下左右に複数枚並べて配置され、それぞれ下地材１２に固定され、これにより壁を形成する。上下に並ぶ２枚のサンドイッチパネル１００は、嵌合凸部１０１と嵌合凹部１０２とを嵌合させることによって接続される。上下２枚のサンドイッチパネル１００は、接続状態において、上下方向に隙間が略形成されないように、嵌合凸部１０１と嵌合凹部１０２の形状が決められている。詳しくは、嵌合凹部１０２の室内側の側壁の先端部１０３と、嵌合凸部１０１の室内側の基部１０４との間に、上下方向に隙間が略形成されないように、嵌合凸部１０１と嵌合凹部１０２の形状が決められている。上下２枚のサンドイッチパネル１００は、嵌合凸部１０１の先端部１０５と嵌合凹部１０２の底面１０６との間に気密材１０７が配され、この間の隙間が埋められた状態で接続される。
【００２４】
サンドイッチパネル１００の厚みとしては、例えば、２２〜１００ｍｍとすることができる。サンドイッチパネル１００は、図示省略しているが、その表面、すなわち金属外皮１００ａの表面にクロスが貼り付けられていてもよい。尚、表面とは、サンドイッチパネル１００の室内側に向けられる壁面のことをいう。クロスとしては、特に限定されるものではなく、適宜のものを用いることができる。クロスの厚みとしては、例えば、０．２ｍｍとすることができる。
【００２５】
家具類２としては、例えば、箪笥などが挙げられる。
【００２６】
固定具３は、壁面に家具類２を固定させるための部材である。図２（ｃ）に示すように、固定具３は、側面視Ｔ字状に形成されている。固定具３は、固定片４と、連結片６とで構成される。
【００２７】
固定片４は、壁面に平行に配置されて、壁面に固定される部材である。固定片４は、平板状に形成されている。固定片４は、鋼板やアルミニウムなどの金属材料から形成される。固定片４には、後述するシート状磁石５が設けられる。固定片４は、第一の面４ａと、この第一の面４ａと平行な第二の面４ｂとを備える。第一の面４ａは、前側に向けられ、家具類２に当接させる面である。第二の面４ｂは、後側に向けられ、シート状磁石５を介してサンドイッチパネル１００の室内側の金属外皮１００ａに取り付けられる面である。
【００２８】
連結片６は、家具類２に連結される部材である。連結片６は、固定具３の側面視中央部において、固定片４の第一の面４ａと直交する水平方向、すなわち固定片４の第一の面４ａから前側に向かって水平に配設される。連結片６は、平板状の部材である。連結片６は、鋼板やアルミニウムなどの金属材料から形成される。連結片６の前後方向における長さは、必要に応じて適宜の長さに設定することができる。連結片６の前後方向における長さとしては、例えば、５〜２０ｃｍとすることができる。連結片６には、この上下の厚み方向に貫通する複数の固定用孔６ｃが設けられている。複数の固定用孔６ｃは、前後方向と直交する水平方向に間隔をあけて並ぶように形成されている。この固定用孔６ｃに、ビスなどの固着具を挿入することにより、連結片６を家具類２に連結することができる。
【００２９】
尚、固定具３は、壁面に家具類２を固定させることができるものであれば、種々の形状であってよい。固定具３は、例えば、図２（ｄ）〜（ｆ）に示すように、側面視Ｌ字状に形成されていてもよい。図２（ｄ）〜（ｆ）に示す形状では、図２（ａ）〜（ｃ）に示す形状において、固定具３の連結片６の配設位置が変更されている。すなわち、図２（ｄ）〜（ｆ）に示す形状では、固定具３の連結片６が、固定具３の上部（固定片４の上端部）において、固定片４の第一の面４ａから前側に向かって水平に配設されている。
【００３０】
シート状磁石５は、固定具３を壁面に磁着させるための部材である。シート状磁石５は、磁性粉末と、バインダー樹脂とを混合して形成される。
【００３１】
磁性粉末としては、例えば、希土類磁性粉末、フェライト磁性粉末、アルニコ磁性粉末などが挙げられる。これらの中でも、磁性粉末としては、希土類磁性粉末が好ましい。希土類磁性粉末は、フェライト磁性粉末、及びアルニコ磁性粉末に比べて、高強度の磁力を付与することができる。希土類磁性粉末とは、希土類金属を磁性体に混ぜ合わせたものである。希土類金属としては、例えば、スカンジウム、イットリウム、ランタン、セリウム、プラセオジウム、ネオジウム、プロメチウム、サマリウム、ユーロビウム、ガドリウム、テレビウム、ジスプロジウム、ホルミウム、エルビウム、ツリウム、イッテルビウム、ルテチウムなどが挙げられる。磁性体としては、例えば、鉄、コバルト、ニッケルなどが挙げられる。希土類磁性粉末としては、例えば、サマリウム−コバルト系磁性粉末、サマリウム−鉄−窒素系磁性粉末、ネオジウム−鉄−ボロン系磁性粉末、セリウム−コバルト系磁性粉末、イットリウム−コバルト系磁性粉末などが挙げられる。
【００３２】
バインダー樹脂としては、例えば、熱可塑性合成樹脂、合成ゴムなどが挙げられる。熱可塑性合成樹脂としては、例えば、塩化ビニルエラストマー、スチレン系エラストマー、オレフィン系エラストマー、ポリエステル系エラストマー、ポリアミド系エラストマー、ウレタン樹脂などが挙げられる。合成ゴムとしては、例えば、ニトリルゴム、ニトリル−ブタジエンゴム、シリコーンゴム、ウレタンゴム、フッ素ゴム、アクリルゴム、ブチルゴムなどが挙げられる。
【００３３】
シート状磁石５は、さらに必要に応じて、他の材料を含有してもよい。他の材料としては、例えば、滑剤、カップリング剤、酸化防止剤などが挙げられる。
【００３４】
シート状磁石５は、上記の磁性粉末、バインダー樹脂、及び必要に応じて他の材料を配合し、これらを混練して、軟化させた後、押出成形、射出成形などによりシート状に成形することで得ることができる。本実施形態では、シート状磁石５は、シート状ゴム磁石５０である。
【００３５】
シート状磁石５は、図２に示すように、固定片４の第二の面４ｂに設けられる。シート状磁石５は、例えば、貼着などにより設けられる。シート状磁石５を貼着する方法としては、特に限定されるものではなく、例えば、接着剤などを用いて、この接着剤をシート状磁石５に塗布することにより、シート状磁石５を固定片４の第二の面４ｂに貼り付けることができる。
【００３６】
シート状磁石５の形状は、固定片４の第二の面４ｂに設けることができるものであれば特に限定されず、適宜の形状を選択することができる。シート状磁石５の形状としては、例えば、正面視四角形状、正面視円形状などが挙げられる。
【００３７】
シート状磁石５の正面視における面積は、２５〜３００ｃｍ２であることが好ましい。シート状磁石５の正面視における面積が２５ｃｍ２以上３００ｃｍ２以下であることで、シート状磁石５（固定具３）と壁面との磁着面積を大きくすることができ、壁面を形成する金属外皮１００ａの厚みが薄い場合であっても、シート状磁石５（固定具３）の良好な吸着力が得られる。
【００３８】
シート状磁石５の吸着力としては、例えば、３．４〜４１．１ｋｇｆ（３３．３〜４０３．１Ｎ）とすることができる。尚、シート状磁石５の吸着力とは、被吸着面に磁着させたシート状磁石５を、被吸着面から剥離するのに要する力のことをいう。
【００３９】
シート状磁石５の厚みは、１〜３ｍｍであることが好ましい。シート状磁石５の厚みが１ｍｍ以上であることで、吸着力の良好なシート状磁石５（固定具３）が得られる。シート状磁石５の厚みが３ｍｍ以下であることで、固定具３の厚みを薄くすることができる。
【００４０】
そして、上記の固定具３を用いて、サンドイッチパネル１００で形成される壁面に家具類２を固定するにあたっては、次のようにして行う。
【００４１】
まず、図１（ｂ）に示すように、固定具３を、家具類２の上面２ｅに取り付ける。この際、固定具３の連結片６を家具類２に固定させる。すなわち、固定具３の連結片６の下面６ｄと、家具類２の上面２ｅとを当接させる。また、固定具３の固定片４の第一の面４ａと、家具類２の背面２ｂとを当接させる。そして、固定具３の連結片６に設けられた固定用孔６ｃにビスなどの固着具（図示省略）をねじ込む。これにより、固定具３が家具類２に取り付けられる。
【００４２】
そして、固定具３を取り付けた家具類２の背面２ｂが、サンドイッチパネル１００の室内側の金属外皮１００ａと対向するように家具類２を配置する。
【００４３】
そして、固定具３の固定片４の第二の面４ｂに設けられたシート状磁石５を、サンドイッチパネル１００の室内側の金属外皮１００ａに磁着させる。これにより、固定具３の固定片４が、シート状磁石５を介して壁面（金属外皮１００ａ）に磁着される。
【００４４】
以上のようにして、家具類２が固定具３を介してサンドイッチパネル１００に固定される。
【００４５】
本実施形態では、建築物の全ての壁面が、サンドイッチパネル１００で形成されていることが好ましい。この場合、固定具３を介して全ての壁面に家具類２を磁着させることができる。これにより、家具類２を移動させて別の場所で壁面に固定させる場合でも、家具類２の設置場所が限定されず、家具類２の設置場所を任意に選択することができる。
【００４６】
尚、本実施形態では、固定具３を家具類２に取り付けるにあたって、ビスなどの固着具を用いて、この固着具を連結片６の固定用孔６ｃにねじ込むことにより、連結片６を家具類２に連結する構成について説明したが、本発明はこれに限られない。例えば、固着具として、接着剤や粘着剤などを用いて、これを固定具３の連結片６の下面６ｄに塗布し、連結片６を家具類２の上面２ｅに貼り付けることにより、連結片６を家具類２に連結してもよい。
【００４７】
家具類２に取り付ける固定具３の数は、必要に応じて適宜の数を設定することができる。家具類２の転倒を防止するために必要な固定具３の数ｖは、シート状磁石５の一個あたりの吸着力の値Ｔに基づいて、設定される。図８に、異なる厚み及び着磁ピッチを有するシート状磁石５におけるシート状磁石５の面積と吸着力との関係を示す。尚、着磁ピッチとは、シート状磁石５における磁極間の距離、つまり、隣り合うＮ極とＳ極との間の距離のことをいう。グラフの横軸は、シート状磁石５の正面視における面積を示す。また縦軸は、シート状磁石５の吸着力を示す。例えば、固定具３が備えるシート状磁石５の厚みを２ｍｍ、着磁ピッチを３ｍｍとし、正面視における面積を３００ｃｍ２とすると、シート状磁石５の一個あたりの吸着力の値Ｔは、３０ｋｇｆ（２９４．２Ｎ）となる。家具類２の重量をＷとすると、地震時に家具類２に作用する力、すなわち地震力Ｑは、次の数式（１）で表される。
Ｑ＝ｋ×Ｗ        ・・・・・（１）
ここで、ｋは、地震力を算出するための係数（０．２〜１．０）である。
【００４８】
そして、家具類２の転倒を防止するために必要な固定具３の数ｖは、次の数式（２）で表される。
ｖ＝Ｑ／Ｔ        ・・・・・（２）
例えば、家具類２の重量Ｗを３００ｋｇｆ（２９４２Ｎ）とすると、地震力Ｑは、６０ｋｇｆ（５８８．４Ｎ）〜３００ｋｇｆ（２９４２Ｎ）と算出される。ここで、地震力Ｑが、９０ｋｇｆ（８８２．６Ｎ）であると仮定する。シート状磁石５の一個あたりの吸着力の値Ｔは、３０ｋｇｆ（２９４．２Ｎ）であるので、上記の数式（２）より、家具類２の転倒を防止するために必要な固定具３の数ｖは、三個となる。
【００４９】
このように、本実施形態では、固定具３の固定片４を、シート状磁石５を介して金属外皮１００ａに磁着させることにより、固定具３と壁面との磁着面積を大きくすることができる。これにより、壁面を形成する金属外皮１００ａの厚みが薄い場合であっても、十分な吸着力を得ることができる。この結果、家具類２を壁面に強固に固定させることができる。また、固定具３の固定片４を、シート状磁石５を介して金属外皮１００ａに取り付けるようにすることで、固定片４と金属外皮１００ａとの間の距離を小さくすることができるため、固定具３を壁面に取り付けても、固定具３が壁面から大きく張り出さないようにすることができる。これにより、家具類２を壁面に固定させる際、固定箇所を目立たないようにすることができる。この結果、見栄え良く家具類２を固定させることができる。
【００５０】
図３（ａ）に、第二の実施形態に係る家具類２の転倒防止構造を示す。
【００５１】
本実施形態では、第一の実施形態の家具類２の転倒防止構造において、家具類２及び固定具３の連結片６の構成が変更されている。
【００５２】
家具類２としては、例えば、電子レンジなどが挙げられる。
【００５３】
図４（ａ）〜（ｄ）に、本実施形態における固定具３の一例を示す。
【００５４】
固定具３の連結片６は、図４（ｄ）に示すように、固定具３の側面視中央部において、固定片４の第一の面４ａと直交する水平方向、すなわち固定片４の第一の面４ａから前側に向かって水平に配設される。連結片６は、平板状の部材である。連結片６は、鋼板やアルミニウムなどの金属材料から形成される。連結片６の前後方向における長さは、必要に応じて適宜の長さを設定することができる。連結片６の前後方向における長さとしては、例えば、５〜２０ｃｍとすることができる。
【００５５】
本実施形態では、連結片６が、係止片８を備えることが好ましい。この場合、後述する連結具９を連結片６に取り付けることができる。係止片８は、連結片６の前側の辺から上方へ向けて垂直に突出している。係止片８は、平板状の部材である。係止片８は、鋼板やアルミニウムなどの金属材料から形成される。係止片８には、この前後の厚み方向に貫通する固定用孔８ｃが設けられている。固定用孔８ｃは、係止片８の正面視中央部に形成されている。図３（ａ）に示すように、この固定用孔８ｃに、ボルト９ｃなどの固着具を挿入することにより、後述する連結具９を介して係止片８を家具類２に連結することができる。本実施形態では、固定用孔８ｃが、前後方向と直交する水平方向に沿って長い長孔として形成されることが好ましい。この場合、ボルト９ｃなどの固着具の挿入位置を前後方向と直交する水平方向の適宜の位置から選択することができる。この結果、家具類２を連結させる位置を前後方向と直交する水平方向の適宜の位置から選択することができる。係止片８の形成方法としては、特に限定されない。係止片８は、例えば、金属材料を折り曲げ加工するなどして、連結片６と一体に形成されていてもよい。また、係止片８は、連結片６とは別体で作製され、溶接等で連結片６に接合されていてもよい。
【００５６】
尚、固定具３は、壁面に家具類２を固定させることができるものであれば、種々の形状であってよい。固定具３は、例えば、図４（ｅ）〜（ｈ）に示すような形状であってもよい。図４（ｅ）〜（ｈ）に示す形状では、図４（ａ）〜（ｄ）に示す形状において、固定具３の連結片６の配設位置が変更されている。すなわち、図４（ｅ）〜（ｈ）に示す形状では、固定具３の連結片６が、固定具３の上部（固定片４の上端部）において、固定片４の第一の面４ａから前側に向かって水平に配設されている。
【００５７】
本実施形態では、固定具３と家具類２との間に、伸縮自在の連結具９を介在させることが好ましい。連結具９は、固定具３と、家具類２とを連結させるための部材である。図３（ａ）に示すように、連結具９は、前後方向に長尺な部材である。連結具９は、図３（ｂ）に示すように、第一連結片９ａと、第二連結片９ｂとを備える。第一連結片９ａは、金属板材等を折り曲げ加工することにより形成される。第一連結片９ａは、側面視Ｌ字状に形成されている。第一連結片９ａは、第一固定片９ｆと、第一係止片９ｅとを備える。第一固定片９ｆは、水平に配置される矩形板状の部材である。第一固定片９ｆには、この上下の厚み方向に貫通する複数の第一固定用孔９ｉが設けられている。この第一固定用孔９ｉには、ボルト９ｃなどの固着具が挿入される。第一固定用孔９ｉは、前後方向に沿って長い長孔として形成されていることが好ましい。この場合、固着具の挿入位置を前後方向の適宜の位置から選択することができる。第一固定用孔９ｉは、前後方向に間隔をあけて並ぶように形成されている。第一係止片９ｅは、第一固定片９ｆの後側の辺から上方へ向けて垂直に突出する平板状の部材である。本実施形態においては、第一係止片９ｅが連結具９の一方の端部Ｘとなる。第一係止片９ｅには、この前後の厚み方向に貫通する係止片固定用孔９ｊが設けられている。第二連結片９ｂは、金属板材等を折り曲げ加工することにより形成される。第二連結片９ｂは、側面視Ｌ字状に形成されている。第二連結片９ｂは、第二固定片９ｈと、第二係止片９ｇとを備える。第二固定片９ｈは、水平に配置される矩形板状の部材である。第二固定片９ｈには、この上下の厚み方向に貫通する複数の第二固定用孔９ｋが設けられている。この第二固定用孔９ｋには、ボルト９ｃなどの固着具が挿入される。第二固定用孔９ｋは、前後方向に沿って長い長孔として形成されていることが好ましい。この場合、固着具の挿入位置を前後方向の適宜の位置から選択することができる。第二固定用孔９ｋは、前後方向に間隔をあけて並ぶように形成されている。第二係止片９ｇは、第二固定片９ｈの前側の辺から上方へ向けて垂直に突出する平板状の部材である。本実施形態においては、第二係止片９ｇが連結具９の一方の端部Ｘとは反対側にある他方の端部Ｙとなる。第二係止片９ｇには、この前後の厚み方向に貫通する係止片固定用孔９ｌが設けられている。
【００５８】
このように、本実施形態においては、連結具９の第一連結片９ａと、第二連結片９ｂとが別体で構成されている。このため、第一連結片９ａと、第二連結片９ｂとを適宜の位置で当接させることにより、連結具９の前後方向における長さを適宜の長さに設定することができる。これにより、固定具３と家具類２との間に、連結具９を伸縮自在に介在させることができる。
【００５９】
そして、壁面に家具類２を固定するにあたっては、次のようにして行う。
【００６０】
まず、壁面の前方の適宜の位置に、家具類２を配置する。この際、家具類２の背面２ｂが、サンドイッチパネル１００の室内側の金属外皮１００ａと対向するように家具類２を配置する。
【００６１】
次に、壁面の適宜の位置に、固定具３を配設する。この際、固定具３の固定片４に設けられたシート状磁石５を、サンドイッチパネル１００の室内側の金属外皮１００ａに磁着させる。
【００６２】
そして、連結具９により、固定具３と、家具類２とを連結する。固定具３と家具類２とを連結するにあたっては、まず、連結具９の端部Ｙを家具類２に連結する。すなわち、連結具９の第二連結片９ｂの第二係止片９ｇと、家具類２の上端部の背面２ｂとを当接させ、家具類２の外側（後方）から第二係止片９ｇに形成された係止片固定用孔９ｌにネジなどの固着具２ｍを挿入し、家具類２に第二連結片９ｂを取り付ける。この場合、第二連結片９ｂの第二固定片９ｈが、前後方向に水平に配置される。そして、第二連結片９ｂの上方に第一連結片９ａを配設する。この際、第二連結片９ｂの第二固定片９ｈの上面と、第一連結片９ａの第一固定片９ｆの下面とを、適宜の位置で当接させる。そして、連結具９の端部Ｘを固定具３の連結片６に取り付ける。本実施形態においては、連結具９の端部Ｘを固定具３の連結片６に設けられた、係止片８に取り付ける。端部Ｘを係止片８に取り付けるにあたっては、まず、第一連結片９ａの第一係止片９ｅが、固定具３の連結片６に設けられた、係止片８と対向するように第一連結片９ａを配設する。次に、第一連結片９ａ側から第二連結片９ｂに向けてボルト９ｃを挿通させる。この際、第一連結片９ａの第一固定片９ｆに形成された第一固定用孔９ｉ、及び第二連結片９ｂの第二固定片９ｈに形成された第二固定用孔９ｋに、ボルト９ｃの先端部を順次挿通させ、第二連結片９ｂより外方（図面下方）へ突出するボルト９ｃの先端部にナット９ｄを螺着する。そして、連結具９の第一係止片９ｅ側から係止片８に向けてボルト９ｃを挿通させる。この際、第一係止片９ｅに形成された係止片固定用孔９ｊ及び係止片８に形成された固定用孔８ｃに、ボルト９ｃの先端部を順次挿通させ、係止片８の後方へ突出するボルト９ｃの先端部にナット９ｄを螺着する。これにより、連結具９の端部Ｘを固定具３の連結片６に取り付けることができる。そして、連結具９により、固定具３と、家具類２とが連結される。
【００６３】
以上のようにして、家具類２が固定具３を介してサンドイッチパネル１００に固定される。
【００６４】
このように、本実施形態では、固定具３の固定片４を、シート状磁石５を介して金属外皮１００ａに磁着させることにより、固定具３と壁面との磁着面積を大きくすることができる。これにより、壁面を形成する金属外皮１００ａの厚みが薄い場合であっても、十分な吸着力を得ることができる。この結果、家具類２を壁面に強固に固定させることができる。また、固定具３の厚みを薄くすることができるため、固定具３を壁面に取り付けても、固定具３が壁面から大きく張り出さないようにすることができる。これにより、家具類２を壁面に固定させる際、固定箇所を目立たないようにすることができる。この結果、見栄え良く家具類２を固定させることができる。
【００６５】
また、伸縮自在の連結具９を介在させることにより、連結具９の前後方向における長さを適宜の長さに設定することができる。この結果、家具類２を連結させる位置を前後方向の適宜の位置から選択することができる。
【００６６】
図５（ａ）〜（ｃ）に、第三の実施形態に係る家具類２の転倒防止構造を示す。
【００６７】
本実施形態では、第一及び第二の実施形態において、家具類２、固定具３の連結片６、及び連結具９の構成が変更されている。
【００６８】
本実施形態では、図５（ｃ）に示すように、家具類２が、その背面２ｂの上方に係止部２０を備えることが好ましい。この場合、固定具３を用いて家具類２を壁面に固定させることができる。係止部２０の形状は、固定具３を取り付けることができるものであれば特に限定されず、適宜の形状とすることができる。係止部２０は、例えば、家具類２の背面２ｂに固定される枠材２０ａと、この枠材２０ａの上端部において後側に向かって突出する家具係止片２０ｂとを備える。枠材２０ａには、その前後の厚み方向に貫通する固定用孔２０ｄが形成されている。枠材２０ａは、固定用孔２０ｄにネジなどの固着具（図示省略）を挿入することにより、家具類２の背面２ｂに固定されている。家具係止片２０ｂと家具類２の背面２ｂとの間には、空間２０ｃが形成されている。家具類２としては、例えば、冷蔵庫などが挙げられる。
【００６９】
図６（ａ）〜（ｃ）に、本実施形態における固定具３の一例を示す。
【００７０】
固定具３の連結片６は、図６（ｃ）に示すように、固定具３の側面視中央部において、固定片４の第一の面４ａと直交する水平方向、すなわち固定片４の第一の面４ａから前側に向かって水平に配設される。連結片６は、平板状の部材である。連結片６は、鋼板やアルミニウムなどの金属材料から形成される。連結片６の前後方向における長さは、必要に応じて適宜の長さを設定することができる。連結片６の前後方向における長さとしては、例えば、５〜２０ｃｍとすることができる。連結片６には、この上下の厚み方向に貫通する固定用孔６ｃが設けられている。固定用孔６ｃは、連結片６の平面視中央部に形成されている。固定用孔６ｃは、前後方向と直交する水平方向に沿って長い長孔として形成されている。
【００７１】
尚、固定具３は、壁面に家具類２を固定させることができるものであれば、種々の形状であってよい。固定具３は、例えば、図６（ｄ）〜（ｆ）に示すように、側面視Ｌ字状に形成されていてもよい。図６（ｄ）〜（ｆ）に示す形状では、図６（ａ）〜（ｃ）に示す形状において、固定具３の連結片６の配設位置が変更されている。すなわち、図６（ｄ）〜（ｆ）に示す形状では、固定具３の連結片６が、固定具３の上部（固定片４の上端部）において、固定片４の第一の面４ａから前側に向かって水平に配設されている。
【００７２】
本実施形態では、伸縮自在の連結具９が、ベルト７であることが好ましい。ベルト７は、家具類２が転倒しないように支えることができるものであれば特に限定されない。ベルト７としては、例えば、ゴムベルトなどが挙げられる。
【００７３】
そして、壁面に家具類２を固定するにあたっては、次のようにして行う。
【００７４】
まず、壁面の適宜の位置に、固定具３を配設する。この際、固定具３の固定片４に設けられたシート状磁石５を、サンドイッチパネル１００の室内側の金属外皮１００ａに磁着させる。
【００７５】
次に、図５（ｂ）に示すように、ベルト７の一方の端部Ｘを、連結片６の下方から固定用孔６ｃに挿入し、固定用孔６ｃの中を挿通させる。そして、ベルト７の端部Ｘを、連結片６の上方から連結片６の外へ延出させる。そして、バックルなどの留め具３０を用いて、ベルト７を固定具３の連結片６に取り付ける。
【００７６】
そして、図５（ａ）に示すように、壁面の前方の適宜の位置に、家具類２を配置する。この際、家具類２の背面２ｂが、サンドイッチパネル１００の室内側の金属外皮１００ａと対向するように家具類２を配置する。
【００７７】
そして、図５（ｃ）に示すように、ベルト７の一方の端部Ｘとは反対側にある他方の端部Ｙを、家具類２の家具係止片２０ｂの下方から空間２０ｃに挿入し、空間２０ｃの中を挿通させる。そして、ベルト７の端部Ｙを、家具係止片２０ｂの上方から家具係止片２０ｂの外へ延出させる。そして、バックルなどの留め具３０を用いて、ベルト７を家具類２に接続させる。これにより、ベルト７が、固定具３と家具類２との間を架け渡すようにして配設される。
【００７８】
以上のようにして、家具類２が固定具３を介してサンドイッチパネル１００に固定される。
【００７９】
このように、本実施形態では、固定具３の固定片４を、シート状磁石５を介して金属外皮１００ａに磁着させることにより、固定具３と壁面との磁着面積を大きくすることができる。これにより、壁面を形成する金属外皮１００ａの厚みが薄い場合であっても、十分な吸着力を得ることができる。この結果、家具類２を壁面に強固に固定させることができる。また、固定具３の厚みを薄くすることができるため、固定具３を壁面に取り付けても、固定具３が壁面から大きく張り出さないようにすることができる。これにより、家具類２を壁面に固定させる際、固定箇所を目立たないようにすることができる。この結果、見栄え良く家具類２を固定させることができる。
【００８０】
また、伸縮自在の連結具９として、ベルト７を介在させることにより、連結具９の前後方向における長さを適宜の長さに設定することができる。この結果、家具類２を連結させる位置を前後方向の適宜の位置から選択することができる。
【００８１】
図７（ａ）に、第四の実施形態に係る家具類２の転倒防止構造を示す。
【００８２】
本実施形態では、第二の実施形態において、家具類２及び連結具９の構成が変更されている。
【００８３】
家具類２は、本体部材２ｒと、支持部材２ｓとを備える。本体部材２ｒは、正面に画像が表示される部材である。支持部材２ｓは、本体部材２ｒを支持するための部材である。支持部材２ｓは、本体部材２ｒの下方に設けられている。家具類２は、その背面２ｂに係止部２ｐを備えていることが好ましい。この場合、背面２ｂの係止部２ｐに、後述する連結具９を係止させることができる。係止部２ｐは、連結具９を係止させることができるものであれば、特に限定されない。係止部２ｐとしては、例えば、クランプ、フックなどが挙げられる。家具類２は、例えば、薄型の平面テレビなどが挙げられる。
【００８４】
本実施形態では、伸縮自在の連結具９が、ストラップ１０であることが好ましい。ストラップ１０は、家具類２が転倒しないように家具類２を支えることができるものであれば、特に限定はされない。ストラップ１０の材質としては、例えば、ナイロン、ポリエステルなどが挙げられる。
【００８５】
そして、壁面に家具類２を固定するにあたっては、次のようにして行う。
【００８６】
まず、壁面の適宜の位置に、固定具３を配設する。この際、固定具３の固定片４に設けられたシート状磁石５を、サンドイッチパネル１００の室内側の金属外皮１００ａに磁着させる。
【００８７】
次に、壁面の前方の適宜の位置に、家具類２を配置する。この際、家具類２の背面２ｂが、サンドイッチパネル１００の室内側の金属外皮１００ａと対向するように家具類２を配置する。
【００８８】
そして、ストラップ１０の一方の端部Ｘを、固定具３の連結片６に設けられた、係止片８の前方から固定用孔８ｃに挿入し、固定用孔８ｃの中を挿通させた後、係止片８の後方から係止片８の外へ延出させる。
【００８９】
そして、ストラップ１０の一方の端部Ｘとは反対側にある他方の端部Ｙを、家具類２の本体部材２ｒの背面２ｂに設けられた、係止部２ｐに引っ掛ける。
【００９０】
そして、ストラップ１０の端部Ｘと、ストラップ１０の端部Ｙとを留め具などを用いて接続する。これにより、ストラップ１０が、固定具３と家具類２との間を架け渡すようにして配設される。
【００９１】
以上のようにして、家具類２が固定具３を介してサンドイッチパネル１００に固定される。
【００９２】
尚、上記に示した実施形態では、ストラップ１０を家具類２の本体部材２ｒの背面２ｂに係止させる構成について説明したが、本発明はこれに限られない。例えば、図７（ｂ）に示すように、ストラップ１０を家具類２の支持部材２ｓの背面２ｂに係止させてもよい。この場合、ストラップ１０の端部Ｙを、家具類２の支持部材２ｓの背面２ｂに設けられた、係止部２ｐに引っ掛ける。そして、固定具３の係止片８の後方から係止片８の外へ延出させた、ストラップ１０の端部Ｘと、ストラップ１０の端部Ｙとを留め具などを用いて接続する。これにより、ストラップ１０が、固定具３と家具類２との間を架け渡すようにして配設される。
【００９３】
このように、本実施形態では、固定具３の固定片４を、シート状磁石５を介して金属外皮１００ａに磁着させることにより、固定具３と壁面との磁着面積を大きくすることができる。これにより、壁面を形成する金属外皮１００ａの厚みが薄い場合であっても、十分な吸着力を得ることができる。この結果、家具類２を壁面に強固に固定させることができる。また、固定具３の厚みを薄くすることができるため、固定具３を壁面に取り付けても、固定具３が壁面から大きく張り出さないようにすることができる。これにより、家具類２を壁面に固定させる際、固定箇所を目立たないようにすることができる。この結果、見栄え良く家具類２を固定させることができる。
【００９４】
また、伸縮自在の連結具９として、ストラップ１０を介在させることにより、連結具９の前後方向における長さを適宜の長さに設定することができる。この結果、家具類２を連結させる位置を前後方向の適宜の位置から選択することができる。
【００９５】
以上説明した第一乃至第四実施形態の家具類２の転倒防止構造では、パネル１がサンドイッチパネル１００である例について説明したが、パネル１は、少なくとも一部が磁性体であり、固定具３が磁着可能であればよく、例えば鋼板であってもよい。
【００９６】
また、以上説明した第一乃至第四実施形態の家具類２の転倒防止構造では、シート状磁石５が、シート状ゴム磁石５０である例について説明したが、シート状磁石５は、金属磁石と、磁性粉末と、バインダー樹脂とを混合して形成されるシート状金属磁石５１であってもよい。金属磁石としては、例えば、希土類磁石、アルニコ磁石、フェライト磁石が挙げられる。シート状金属磁石５１は、従来周知の製法を用いて製造される。
【００９７】
シート状金属磁石５１の形状は、固定片４の第二の面４ｂに設けることができるものであれば特に限定されず、適宜の形状を選択することができる。シート状金属磁石５１の形状としては、例えば、正面視四角形状、正面視円形状などが挙げられる。
【００９８】
シート状金属磁石５１は、例えば、図１１に示すように、片面多極着磁タイプで着磁ピッチＬが５ｍｍのネオジム磁石である。シート状金属磁石５１は、例えば、長さが５０ｍｍであり、幅が３０ｍｍであり、厚みが２ｍｍであり、吸着力が９．３ｋｇｆ（９１．１Ｎ）である。この場合、シート状金属磁石５１の４枚分の吸着力は、３７．２ｋｇｆ（３６４．４Ｎ）と期待される。
【００９９】
シート状金属磁石５１は、例えば、図９（ａ）〜（ｃ）に示す固定具３のように、固定片４の第二の面４ｂの４つの角部にそれぞれ、長手方向が上下方向を向くように取り付けられる。
【０１００】
また、シート状金属磁石５１は、例えば、図１０（ａ）〜（ｃ）に示す固定具３のように、固定片４の第二の面４ｂの４つの角部にそれぞれ、長手方向が水平方向を向くように取り付けられる。図１０（ｂ）に示す固定具３では、隣接する２枚のシート状金属磁石５１間の距離が極力短くなるように、固定片４のサイズが決められている。
【０１０１】
なお、シート状金属磁石５１は、図９（ａ）〜（ｃ）及び図１０（ａ）〜（ｃ）に示すように、固定片４の第二の面４ｂの４つの角部にそれぞれに取り付けるのではなく、正面視にて４枚分の大きさのシート状金属磁石５１を１枚、固定片４の第二の面４ｂの中央部に取り付けるようにしてもよい。
【０１０２】
また、シート状金属磁石５１は、求める吸着力に応じて、正面視における面積や使用する枚数を適宜選択可能である。
【実施例】
【０１０３】
以下、本発明を実施例によって具体的に説明する。尚、本発明は、下記の実施例に限定されるものではない。
【０１０４】
＜実施例１＞
本実施例では、図２（ａ）〜（ｃ）に示す形状の固定具３を用いた。固定片４の大きさは、縦１６ｃｍ、横２１ｃｍとした。連結片６の前後方向における長さは、１２ｃｍとした。また、固定片４に設けるシート状磁石５は、シート状ゴム磁石５０とし、その正面視における面積を３００ｃｍ２（縦１５ｃｍ、横２０ｃｍ）、厚みを１ｍｍとした。尚、シート状ゴム磁石５０は、その着磁ピッチが３ｍｍのものを用いた。この固定具３を、金属外皮１００ａの表面にクロスを貼り付けたサンドイッチパネル１００（縦９１ｃｍ、横３０３ｃｍ）に磁着させた。金属外皮１００ａの厚みは、０．３５ｍｍ、クロスの厚みは、０．２ｍｍとした。
【０１０５】
＜実施例２＞
本実施例では、実施例１において、シート状ゴム磁石５０の厚みを２ｍｍとした。
【０１０６】
それ以外は、実施例１と同じ方法及び条件を採用した。
【０１０７】
＜実施例３＞
本実施例では、実施例１において、固定片４の大きさを、縦１１ｃｍ、横１１ｃｍとした。また、シート状ゴム磁石５０の正面視における面積を１００ｃｍ２（縦１０ｃｍ、横１０ｃｍ）、厚みを２ｍｍとした。
【０１０８】
それ以外は、実施例１と同じ方法及び条件を採用した。
【０１０９】
＜実施例４＞
本実施例では、実施例１において、シート状ゴム磁石５０の厚みを３ｍｍとした。
【０１１０】
それ以外は、実施例１と同じ方法及び条件を採用した。
【０１１１】
＜実施例５＞
本実施例では、実施例１において、固定片４の大きさを、縦１１ｃｍ、横１１ｃｍとした。また、シート状ゴム磁石５０の正面視における面積を１００ｃｍ２（縦１０ｃｍ、横１０ｃｍ）、厚みを３ｍｍとした。
【０１１２】
それ以外は、実施例１と同じ方法及び条件を採用した。
【０１１３】
＜実施例６＞
本実施例では、実施例１において、シート状ゴム磁石５０の厚みを２ｍｍとした。また、シート状ゴム磁石５０は、その着磁ピッチが５ｍｍのものを用いた。
【０１１４】
それ以外は、実施例１と同じ方法及び条件を採用した。
【０１１５】
＜実施例７＞
本実施例では、実施例１において、固定片４の大きさを、縦５ｃｍ、横５ｃｍとした。また、連結片６の前後方向における長さは、５ｃｍとした。また、シート状ゴム磁石５０の正面視における面積を２５ｃｍ２（縦５ｃｍ、横５ｃｍ）、厚みを２ｍｍとした。また、シート状ゴム磁石５０は、その着磁ピッチが５ｍｍのものを用いた。
【０１１６】
それ以外は、実施例１と同じ方法及び条件を採用した。
【０１１７】
＜実施例８＞
本実施例では、図９（ａ）〜（ｃ）に示す固定具３を用いた。固定片４の大きさは、縦１３ｃｍ、横１３ｃｍとした。また、連結片６の前後方向における長さは、１２ｃｍとした。また、固定片４に設けるシート状磁石５は、シート状金属磁石５１（縦５０ｍｍ、横３０ｍｍ、厚み２ｍｍ）４枚とし、その正面視における総面積を６０ｃｍ２とした。シート状金属磁石５１は、図１１に示す片面多極着磁タイプで着磁ピッチＬが５ｍｍのネオジム磁石を用いた。
【０１１８】
それ以外は、実施例１と同じ方法及び条件を採用した。
【０１１９】
＜実施例９＞
本実施例では、図１０（ａ）〜（ｃ）に示す固定具３を用いた。固定片４の大きさは、縦７ｃｍ、横１１ｃｍとした。また、連結片６の前後方向における長さは、１２ｃｍとした。また、固定片４に設けるシート状磁石５は、シート状金属磁石５１（縦５０ｍｍ、横３０ｍｍ、厚み２ｍｍ）４枚とし、その正面視における総面積を６０ｃｍ２とした。シート状金属磁石５１は、図１１に示す片面多極着磁タイプで着磁ピッチＬが５ｍｍのネオジム磁石を用いた。
【０１２０】
それ以外は、実施例１と同じ方法及び条件を採用した。
【０１２１】
＜比較例１＞
比較例１では、図２（ａ）〜（ｃ）に示す形状の固定具３を用いた。固定片４の大きさは、縦２ｃｍ、横２ｃｍとした。連結片６の前後方向における長さは、５ｃｍとした。また、固定片４に設けられる磁石は、その正面視における面積を４ｃｍ２（縦２ｃｍ、横２ｃｍ）、厚みを５ｍｍとした。この固定具３を、金属外皮１００ａの表面にクロスを貼り付けたサンドイッチパネル１００（縦９１ｃｍ、横３０３ｃｍ）に磁着させた。金属外皮１００ａの厚みは、０．３５ｍｍ、クロスの厚みは、０．２ｍｍとした。
【０１２２】
これらについて、固定具３の吸着力の測定を次に示す通り行った。
【０１２３】
プッシュプルゲージ（イマダ社製  ＤＰＸ−５ＴＲ）を用いて、サンドイッチパネル１００に磁着させた固定具３を、サンドイッチパネル１００に対して垂直方向に引っ張った。そして、サンドイッチパネル１００から固定具３が離れた時の値を測定し、この値を固定具３の吸着力の値とした。
【０１２４】
固定具３の吸着力の測定結果を、下記表１に示す。
【０１２５】
【表１】
2014239870.tif 000003
表１にみられるように、正面視における面積が２５〜３００ｃｍ２、厚みが１〜３ｍｍのシート状ゴム磁石５０を介在させた実施例１〜７はいずれも、正面視における面積が４ｃｍ２、厚みが５ｍｍの磁石を介在させた比較例１と比べて、吸着力の値が大きかった。
【０１２６】
また、正面視における総面積が６０ｃｍ２、厚みが２ｍｍのシート状金属磁石５１を介在させた実施例８，９はいずれも、正面視における面積が２５〜３００ｃｍ２、厚みが１〜３ｍｍのシート状ゴム磁石５０を介在させた実施例１〜７と比べて、磁石の面積当たりの吸着力の値が大きかった。
【０１２７】
また、実施例９で用いた固定具３は、実施例８で用いた固定具３よりも、固定片４が小さく、また、各シート状ゴム磁石５０間の距離が短いため、実施例９で用いた固定具３では、実施例８で用いた固定具３に比べて、吸着先の金属外皮１００ａが断熱材１００ｂから剥離しにくいという結果が得られた。
【０１２８】
以下、本発明を更に他の実施例によって具体的に説明する。尚、本発明は、下記の実施例に限定されるものではない。
【０１２９】
＜実施例＞
本実施例では、図１０（ａ）〜（ｃ）に示す形状の固定具３を用いた。固定片４の大きさは、縦７ｃｍ、横１１ｃｍとした。連結片６の前後方向における長さは、１２ｃｍとした。また、固定片４に設けるシート状磁石５は、シート状金属磁石５１（縦５０ｍｍ、横３０ｍｍ、厚み２ｍｍ）４枚とし、その正面視における総面積を６０ｃｍ２とした。シート状金属磁石５１は、その着磁ピッチが５ｍｍのものを用いた。シート状金属磁石５１は、図１１に示す片面多極着磁タイプで着磁ピッチＬが５ｍｍのネオジム磁石を用いた。
【０１３０】
固定具３の連結片６を、図１２（ａ）及び図１２（ｂ）に示すように、家具類２であるハイチェストのタンス２００（内容物を含む家具重量：１，１５４Ｎ）の上面２００ｅにビスなどの固着具１１で固定する。このとき、固定具３の固定片４の第一の面４ａと、タンス２００の背面２００ｂとを当接させる。本実施例では、固定具３は、タンス２００の上面２００ｅの２か所にそれぞれ取り付ける。そして、固定具３の固定片４の第二の面４ｂに設けられたシート状金属磁石５１を、サンドイッチパネル１００（縦９１ｃｍ、横３０３ｃｍ）の室内側の金属外皮１００ａに磁着させる。金属外皮１００ａの厚みは、０．３５ｍｍ、クロスの厚みは、０．２ｍｍとした。これにより、固定具３の固定片４が、シート状金属磁石５１を介してパネル１の表面（金属外皮１００ａ）に磁着される。
【０１３１】
そしてタンス２００に前方と側方にそれぞれ荷重を加え、転倒に要する荷重の大きさを測定した。測定結果を、下記表２に示す。
【０１３２】
【表２】
2014239870.tif 000004
表２にみられるように、１つの固定具３による前方向の転倒防止効果（８４９Ｎ）は、４枚のシート状金属磁石５１の吸着力（３６４．４Ｎ）の２倍以上の耐力があった。また、２つの固定具３による前方向の転倒防止効果（１，６９８Ｎ）は、家具重量（１，１５４Ｎ）に対して１Ｇを超えていた。つまり、２つの固定具３からは、一般的に家具転倒防止に必要とされる家具重量の半分以上の転倒防止効果が得られた。
【符号の説明】
【０１３３】
１    パネル
２    家具類
３    固定具
４    固定片
５    シート状磁石
６    連結片
７    ベルト
９    連結具
１０  ストラップ
５０  シート状ゴム磁石
５１  シート状金属磁石
１００  サンドイッチパネル
１００ａ  金属外皮
Ｘ    端部
Ｙ    端部
【図１】
2014239870.tif 000005
【図２】
2014239870.tif 000006
【図３】
2014239870.tif 000007
【図４】
2014239870.tif 000008
【図５】
2014239870.tif 000009
【図６】
2014239870.tif 000010
【図７】
2014239870.tif 000011
【図８】
2014239870.tif 000012
【図９】
2014239870.tif 000013
【図１０】
2014239870.tif 000014
【図１１】
2014239870.tif 000015
【図１２】
2014239870.tif 000016